(57)【要約】【課題】可搬型の所謂「打たせ湯」装置を家庭の風呂に簡単に設置し、風呂のお湯を「打たせ湯」に使用することで、お湯を有効利用することと、入浴者にとって適当な流量や流量変化を周期的に行うことで「打たせ湯」の血行促進効果をより高める。【解決手段】入浴中に、フロート付き可変速型水中ポンプ１で浴槽上部の暖かいお湯を給水し、吐出口９から流し、入浴者を経由して浴槽に戻る循環系を構成し、お湯を有効に利用し、さらに、循環系の流量や流量変化を入浴者の手元の操作部２６で調整し、運転制御回路２５から回転速度制御回路２４に制御信号を出し、水中ポンプ１の回転速度を制御し、吐出口９からの流量を任意に制御する。【選択図】        図１
2004267676.tif 000002
【特許請求の範囲】
【請求項１】
入浴中に風呂のお湯を水中ポンプで給水し、吐出口から肩または腰のような要治療部分に水流をかけて刺激する、所謂「打たせ湯」と言われている可変速型水中ポンプ、お湯溜まり、吐出口、それらをつなぐホース、操作部、及び全体を制御する制御部で構成される苛搬型の血行促進装置。
【請求項２】
吐出口からのお湯の流れは、任意の定流量、任意の流量変化、または一定間隔での定流量運転が制御でき、また、流量または周期も操作部の設定により可変できることを特徴とする請求項１記載の血行促進装置。
【請求項３】
フロートに取り付けられた水中ポンプを浴槽の湯に浮かべ、水中ポンプの給水口が浴槽のお湯上部の暖かいお湯を給水することを特徴とする請求項１記載の血行促進装置。
【請求項４】
循環用のホースを可能な限り細いものを利用し、循環系の流速は早くし、吐出口の前に、お湯溜まり装置を設け、水圧を下げ、吐出量の増加を図ることを特徴とする請求項１記載の血行促進装置。
【発明の詳細な説明】
【０００１】
【発明が属する技術分野】
本発明は、家庭の風呂で、所謂「打たせ湯」と言われているものを、簡単に、かつ治療効果が高くなるように、流量を制御できるようにした血行促進装置に関するものである。
【０００２】
【従来の技術】
過去、家庭用に、いくつかの「打たせ湯」と言われているものが提案されているが、基本的に浴槽内のお湯を一定の流量で循環するもので、確かに、患部が温まる効果はあるが、入浴者に効果的な治療をもたらす水流を作り出すものではなかった。また、給水口が浴槽内で一定せず、効率的に浴槽の一番温かいお湯を利用できるものではなかった。
【０００３】
【発明が解決しようとする課題】
かような問題を解決するため、入浴者にとって、適正な流量、あるいは周期的な流量の変化をつけて、「打たせ湯」による治療効果を高め、かつ、浴槽の最も温かいお湯を利用することで、省エネルギー効果を高めることである。
【０００４】
【課題を解決するための手段】
本発明は、所謂「打たせ湯」に任意の定流量や流量変化をつけることと、浴槽上部の温かいお湯を利用することを最も主要な特徴とする。
【０００５】
【発明の実施の形態】
任意の定流量やその流量を周期的に変化させるという目的を、浴槽のお湯の循環系統内に水中ポンプを可変速型とし、循環速度を制御することで実現し、常に浴槽上部の温かいお湯を給水する目的を、可変速型水中ポンプにフロートを取り付け、水位に関わらず給水口が浴槽内のお湯の上部付近に位置させることで実現した。
【０００６】
【実施例】
図１，２は、本発明の装置の実施状態を図示したものの一例であり、入浴中に可変速型水中ポンプ１の給水口３から浴槽の上部の温かいお湯を給水し、ホース７を経由して吐出口９から流し、被治療者を介し、浴槽内に戻すものであり、図３はお湯溜まり部分の機構例であり、図４は装置の流量制御に関わる電気制御系を示したものである。
【０００７】
浴槽のお湯の温度分布は下部よりも上部が温かいことは周知のことである。「打たせ湯」に利用するお湯はフロート２に取り付けられた可変速型水中ポンプ１の給水口３から給水する。ポンプ１がフロート２に取り付けられていることにより、水位の変化に追従し、ポンプ１が空運転になることも防げ、常に、浴槽の一番温かいお湯が利用できる。
【０００８】
図１で示すように、水中ポンプ１が横転しないように錘５を固定錘吊チェーン４で水中ポンプ１の下部に取り付ける。錘５は水中ポンプが適正な姿勢を保てるような重量を選定する。また図２のようにフロート２を含む水中ポンプ１が垂直に取り付けられたスタンド１１のようなものに沿い、水位に追従して上下に動き水中ポンプ１が横転しなければ他の形状でも良い。
【０００９】
水中ポンプ１とホース７は継ぎ手６で接続される。このため、ホース７を別のホースに交換すれば、例えば、風呂のお湯を洗濯機等に給水する単機能の給排水装置としても使用できる。
【００１０】
水中ポンプ１と吐出口９とを接続するホース７は太い方が効率は良いが、限られた空間の中で使用するので、出来るだけ細い方が邪魔にならない。このため、水中ポンプ１の水圧を上げ、流速を早くして、吐出口９の直前にお湯溜まり８を設け、水圧を下げ、流量を増加させ、吐出口９から「打たせ湯」を行う。
【００１１】
お湯溜まり８は図３に示すように内部に仕切り１６を設け、供給された高圧の水流を低圧の水流に変換し、吐出口９に低圧、多量の水量で吐出させる機能を有する。水流の減圧、増量作用があるものならば他の形状でも良い。ホース７に太さの制限がない場合はお湯溜まり８は必要としない。
【００１２】
吐出口９は浴室の壁に吐出口固定部品１０として吸引パッド等で取り付けるか、固定棒１２のようなものに取り付け、被治療者にとって血行促進効果が高くなるように取り付け位置を決定し、固定する。
【００１３】
感電事故を防ぐために、装置の使用にあたっては屋外からの電源の配電盤に漏電ブレーカが付いていることを確認し、さらに血行促進装置の電源は浴室外で乾燥した状態で受電し、駆動部との間にトランス２２を設け１次側と絶縁をし、さらにアースは必須とする。
【００１４】
「打たせ湯」としての血行促進効果を求めるためには水中ポンプ１の能力は３０リットル／分程度が望ましいが、揚水能力はせいぜい１．５ｍしか必要としない。
【００１５】
流量に変化をつけるために、水中ポンプ１のモーターは直流モーターが望ましく、水中ポンプ回転速度制御回路２４で回転速度が制御され、結果として、流量の制御が可能となる。水中ポンプ１の回転制御を行って流量を変えるものとしては、例えばインバータモータも考えられるが、安全性に支障がなければ使用可能である。
【００１６】
血行促進装置操作部２６は任意の定流量モード、流量変化モードと任意のインターバルでの任意の定流量運転モードがあり、入浴中に手元で操作できる。血行促進装置操作部２６からの制御信号は運転制御回路２５と連動し、水中ポンプ回転速度制御回路２４を制御し流量を制御する。
【００１７】
図５は各モードでの流量の状態を示したものであり、（ａ）は任意の定流量の状態、（ｂ）は任意の流量変化させた状態であり、（ｃ）は任意の定流量でのインターバル運転の状態である。
【００１８】
いずれの運転モードの動作時も、適当な時間で運転を自動停止するタイマー機能が運転制御回路２５に内蔵されていて、長時間、お湯に打たれることによる「のぼせ」等を予防する。
【００１９】
運転制御回路２５には水中ポンプ１に流れる電流を常時検出する手段を有し、給水口の詰まりや水中ポンプの空運転等により、水中ポンプが正常に給水できなくなった時は、電流値が正常時に比べ異常に小さくなったり、また逆に大きくなるので、その異常電流を検出する事により、装置を停止させ、装置の安全が保たれる。
【００２０】
「打たせ湯」のお湯の一部が浴槽外に飛散したり、お湯の温度が低下したりするが、適宜、被治療者または介添人が給湯システムを作動させて、適当な湯量や温度を保つようにする。
【００２１】
【発明の効果】
浴槽の上部のお湯を給水循環することで、お湯を効率的に使用でき、省エネルギー効果が得られ、かつ、任意の流量の設定、または、任意の流量変化を周期的に行うことで、入浴者に適正な治療効果、またはリラクゼーション効果が得られ、「打たせ湯」を利用した血行促進装置が家庭に於いて簡単に、かつ安価に設置できる。
【図面の簡単な説明】
【図１】血行促進装置の実施の状態を示す図である。
【図２】血行促進装置の別の実施状態を示す図である。
【図３】（ａ）は血行促進装置のお湯溜まり部を示す垂直方向の断面図である。
（ｂ）は血行促進装置のお湯溜まり部を示す底面図である。
【図４】（ａ）は血行促進装置の電気系統の一例である。
（ｂ）は血行促進装置の電気系統の別例である。
【図５】血行促進装置の各モードでの流量の状態を示す図である。
（ａ）は一定流量モードでの状況を示したものである。
（ｂ）は流量変化モードでの状況を示したものである。
（ｃ）はインターバルモードでの状況を示したものである。
【符号の説明】
１      可変速型水中ポンプ
２      フロート
３      給水口
４      固定錘吊チェーン
５      錘
６      継ぎ手
７      ホース
８      お湯溜まり
９      吐出口
１０    吐出口固定部品
１１    スタンド棒
１２    固定棒
１３    スタンドベース
１４    ホース
１５    ホース用継ぎ手
１６    仕切り
１７    吐出口用継ぎ手
１８    吐出口
１９    お湯溜まり
２０    お湯溜まり
２１    アース付き電源コンセント
２２    トランス
２３    直流変換用整流器
２４    水中ポンプ回転速度制御回路
２５    血行促進装置運転制御回路
２６    血行促進装置操作部
２７    水中ポンプ・モーター
２８    血行促進装置駆動部浴室外設置型
２９    血行促進装置駆動部浴室内設置型
【図１】
2004267676.tif 000003
【図２】
2004267676.tif 000004
【図３】
2004267676.tif 000005
【図４】
2004267676.tif 000006
【図５】
2004267676.tif 000007